(57)【特許請求の範囲】
【請求項１】
頸部外周に一対の係止片が突設され肩部周縁に前記頚部を挟んで一対の縦溝が設けられた内容器と、前記内容器を嵌脱自在に収納するとともに開口部に一対の凹所を対向して開設した筒状の外装容器本体と、蓋部材の中央部に回動自在に嵌着された回動筒の係止溝に前記係止片を係合して前記内容器を着脱自在に吊着することにより前記内容器の外底壁面が前記外装容器本体の内底壁面に接触することなく前記外装容器本体の開口部に着脱自在に装着される肩カバーと、を具備してなり、前記肩カバーの外周縁には前記凹所に嵌合して前記肩カバーと前記外装容器本体との相互回動を阻止する舌片が垂設されているとともに前記舌片の裏面には前記縦溝と係合して前記内容器の回動を阻止する縦リブが突設されており、前記外装容器本体内に収納された前記内容器の外周面が前記外装容器本体の内周面に接触することなく固定されることを特徴とする化粧料容器。
【発明の詳細な説明】
【０００１】
【発明の属する技術分野】
本発明は、化粧水や液体ファンデーションなどの化粧料を充填した内容器を外装容器に交換可能に収納した化粧料容器に関する。
【０００２】
【従来の技術】
化粧料を充填した比較的安価な内容器を美麗な意匠の高価な外装容器に交換可能に装着し、内容物を使いきると化粧料が充填されている新しい内容器に交換して外装容器を使用し続けるようにした化粧料容器は周知である。この種の従来容器として、例えば、特公平４ー２４０４５号公報に開示された図５に示す化粧料容器が提案されている。
【０００３】
この従来の化粧料容器は、装飾カバー５１ａで加飾された外装容器本体５１に嵌脱自在に内容器５２を装着し、外装容器本体５１から内容器５２の抜け出しを阻止する肩カバー５３を外装容器本体５１の開口部を覆って螺着させ、肩カバー５３中央の孔から突出した内容器５２の頚部５２ａに蓋５４を嵌合して構成されている。
【０００４】
この従来容器における内容器５２は断面形状が円形であるので、外装容器本体５１の内側に設けられた複数の条溝５５に内容器５２の外周面に設けられた突条５６を係合させて内外容器相互の回転止めと位置合わせをするとともに、外装容器本体５１内での内容器５２の上下方向のがたつきは肩カバー５３の締め込みにより規制して防止するようになっている。
【０００５】
ところで、前記化粧料容器にあっては、内容器５２を交換する際、肩カバー５３は外装容器本体５１に螺子嵌合されているので肩カバー５３の着脱に手間がかかるうえに、内容器５２を外装容器本体５１に装着する際、内容器５２の突条５６と外装容器本体５１の条溝５５との難しい位置合わせをしなければならず、内容器５２の交換操作性がよくないという問題があった。
【０００６】
また、肩カバー５３の締め込みにより内容器５２の肩部５７を押さえ込んで内容器５２を固定する構成であるので、内容器５２の寸法のばらつきが大きいと、内容器５２が外装容器の中でがたついたり、肩カバー５３が内容器５２の肩部５７に当たって完全に締込むことができず、肩カバー５３の下端部に隙間ができて見苦しくなる。従って、内容器５２の製作には高い寸法精度が要求され、ポリエチレンやポリプロピレンなど汎用合成樹脂材料を用いてダイレクトブローで成形される安価な中空ボトルは高さ寸法のばらつきが大きいために採用しにくく、寸法精度の高い高価な内容器５２を使わなければならない問題があった。
【０００７】
また、例えば、特開平７ー３０３５１７号公報や特開平７ー３１５４１４号公報には上記の問題を解決した化粧用容器が開示してある。しかしながら、これらの化粧料容器は、内外容器相互の回転止めと位置合わせを必要としない横断面形状が楕円形や多角形の化粧料容器に限られており、横断面形状を円形の容器にすることができない構成となっている。
【０００８】
【発明が解決しようとする課題】
本発明は、上記の問題に鑑みてなされたもので、内容器を交換する際の操作性を向上させるとともに寸法精度が緩和され、内容器の横断面形状が円形、楕円形、多角形など、何れの形状のものにも構成できるようにすることを課題としている。
【０００９】
【課題を解決するための手段】
本発明は、頸部外周に一対の係止片が突設され肩部周縁に前記頚部を挟んで一対の縦溝が設けられた内容器と、前記内容器を嵌脱自在に収納するとともに開口部に一対の凹所を対向して開設した筒状の外装容器本体と、蓋部材の中央部に日動自在に嵌着された回動筒の係止溝に前記係止片を係合して前記内容器を着脱自在に吊着することにより前記内容器の外底壁面が前記外装容器本体の内底壁面に接触することなく前記外装容器本体の開口部に着脱自在に装着される肩カバーと、を具備してなり；前記肩カバーの外周縁には前記凹所に嵌合して前記肩カバーと前記外装容器本体との相互回動を阻止する舌片が垂設されているとともに前記舌片の裏面には前記縦溝と係合して前記内容器の回動を阻止する縦リブが突設されており、前記外装容器本体内に収納された前記内容器の外周面が前記外装容器本体の内周面に接触することなく固定される構成としたことにより、前記課題の解決手段としている。
【００１０】
【発明の実施の形態】
以下、本発明の好適な実施の形態を添付図面を参照しながら詳細に説明する。
【００１１】
図１乃至図４は、本発明の化粧料容器の実施の形態を示すもので、蓋２が螺着された頚部３を中央に立設した内容器１と、前記内容器１を嵌脱自在に収納する有底筒状の外装容器本体１０と、前記内容器１を着脱自在に吊着し外装容器本体１０の開口部１１に着脱自在に装着される肩カバー２０とから構成され、外装容器本体１０と肩カバー２０とで内容器１を交換可能に収納する外装容器を形成している。
【００１２】
内容器１は、ポリエチレン、ポリプロピレンなどの汎用合成樹脂材料や硝子材料を用いてダイレクトブロー成形された比較的薄肉のボトルであり、その肩部周縁４には頚部３を挟んで一対の縦溝５，５が設けられており、該縦溝５，５を介して肩カバー２０に係合し、肩カバー２０との位置を決めるとともに相互回動が阻止され回り止めされている。尚、内容器１は、ブロー成形によるボトルに限るものではなく、インジェクションブロー成形やインジェクション成形による成形精度の高い容器であってもよいことは言うまでもない。
【００１３】
また、内容器１の蓋２の下方の頚部３には、内容器１を肩カバー２０に係止吊着する為の一対の係止片６を突設したリング７が嵌込まれて固定されている。尚、このリング７に設けられた係止片６は頚部３外周から直接一体に突設形成してもよいものである。
【００１４】
外装容器本体１０は、内容器１を収納して美麗に外装するとともに内容器１  を外部から保護するものであって、硬質の合成樹脂材料を用いて厚肉に形成されており、通常、印刷やホットスタンプ、転写などによる加飾が施され、更に豪華にするために金属ケースを被せたりすることもある。
【００１５】
外装容器本体１０には、開口部１１に切欠状に開放された一対の凹所１２，１２が対向して設けられているとともに開口端内縁に沿って外向きの傾斜リブ１３が形成されており、更に、前記凹所１２，１２と直交する方向の位置の開口端には、外向きに突条１４を設けた係合片１５，１５が一対に対向して突設されている。尚、内容器１は肩カバー２０に吊着されて外装容器本体１０に収納されるので、無底の外装容器本体（図示省略）にして材料を節約することも可能である。
【００１６】
肩カバー２０は、外装容器本体１０の開口端に嵌着する蓋部材２１と、この蓋部材２１の中央部の嵌合孔２１ａに回動自在に嵌着された回動筒２６とから構成されている。
【００１７】
前記蓋部材２１は可撓性の合成樹脂材料で形成され、その外周縁には周壁２２が垂設されており、該周壁２２は外装容器本体１０の開口端に乗つて外周が面一になるように、外装容器本体１０よりも薄肉且つ外装容器本体１０と同じ外径寸法に形成されている。
【００１８】
また、蓋部材２１の周壁２２の下端には、外装容器本体１０の凹所１２，１２とぴったり嵌合して外装容器本体１０と肩カバー２０との相互回動を阻止する舌片２３，２３が垂設されているとともに、図２に示すように、この舌片２３，２３の裏面には内容器１の縦溝５，５と係合して外装容器に収納された内容器１の回動を阻止する縦リブ２４，２４が突設されている。また、前記舌片２３，２３と直交する方向の周壁２２内面には、外装容器本体１０の係合片１５，１５の突条１４，１４と係合する係合溝２５が凹設されている。
【００１９】
肩カバー２０の回動筒２６は、内容器１を着脱自在に吊着するためのもので、図４に示すように、その裾部外周の周溝２７を蓋部材２１中央部の嵌合孔２１ａに回動自在に嵌合して肩カバー２０の頚部を形成しており、内容器１の頚部３が挿通される回動筒２６の挿通孔２６ａの大きさは内容器１の蓋２が自由に挿通できる孔径に形成されている。
【００２０】
また、回動筒２６の内周壁には、図１および図２に示すように、環状に形成された開口部２８に沿ってＬ字状の突条２９が設けられ、開口部２８と突条２９とによって内容器１の係止片６が係合する係止溝３０が形成されている。
【００２１】
以上のように構成された実施の形態の化粧料容器をセットする（図３に示す、内容器１が外装容器に組み込まれた状態にする）ときは、蓋２を装着した状態の内容器１の頚部３を肩カバー２０の回動筒２６の挿通孔２６ａに挿通し、次いで、肩カバー２０の舌片２３裏面にある縦リブ２４を内容器１の縦溝５に挿入し係合させて肩カバー２０と内容器１との周方向位置を決める。内容器１は、材料費を安価に且つ使用済みとなったときの廃棄量を少なくする為に比較的薄肉に形成してあり、従って、舌片２３裏面の縦リブ２４を内容器１の縦溝５に圧入状態に挿入できるので、内容器１は肩カバー２０の舌片２３部分でがたつきなく保持される。次に、回動筒２６を時計回りに回動させて回動筒２６の係止溝３０に内容器１の係止片６を係合させ、肩カバー２０と内容器１を結合する。
【００２２】
次に、肩カバー２０を装着した内容器１を外装容器本体１０の開口部１１から挿入し、肩カバー２０の舌片２３を外装容器本体１０の凹所１２に嵌合させて位置を合わせ下方に押圧する。すると、外装容器本体１０の係合片１５の突条１４と肩カバー２０の係合溝２５とが係合するとともに凹所１２と舌片２３とがぴったり係合し、肩カバー２０は外装容器本体１０の開口端に回動不能に装着されてセットが完了する。
【００２３】
外装容器本体１０内に収納された内容器１は、肩カバー２０で回動不能に位置決めされ、且つ、肩カバー２０に吊着されて外周面１ａおよび内底壁面１ｂが外装容器本体１０の内周面１６および底壁面１７からそれぞれ距離をおいて接触することなく固定される。従って、内容器１と外装容器本体１０とのがたつきを心配する必要がなくなり、内容器１の成形寸法精度は従来容器に比較して著しく緩和される。また、内容器１は肩カバー２０に吊着されて外周面１ａが外装容器本体１０の内周面１６と、内底壁面１ｂが底壁面１７にそれぞれ接触していないので外装容器本体１０外部からの衝撃にも充分保護されている。
【００２４】
化粧料を使いきって空となった内容器１を外装容器から取り外すときは、まず、肩カバー２０の一対の舌片２３，２３を外側から挟みつけるように押圧しながら外装容器本体１０から持ち上げる。舌片２３，２３を押圧することで可撓性を有する肩カバー２０の周壁２２が撓んで外装容器本体１０の係合片１５の突条１４と肩カバー２０の係合溝２５との係合が解除されるとともに、肩カバー２０の周壁２２下端が外装容器本体１０開口端の傾斜リブ１３に乗り上がり、肩カバー２０と外装容器本体１０との係合はワンタッチで開放される。
【００２５】
そして、肩カバー２０に内容器１を吊着した状態のまま外装容器本体１０から引き抜き、回動筒２６を時計の逆回転方向に回転して回動筒２６の係止溝３０と内容器１の係止片６との係合を解除することにより肩カバー２０を内容器１から簡単に取り外すことができる。
【００２６】
以上説明したように、肩カバー２０と外装容器本体１０との着脱は肩カバー２０の舌片２３を押圧することでワンタッチでできるので、従来の螺子で螺着した化粧料容器に比較して操作が簡単である。また、肩カバー２０と外装容器本体１０との着脱を操作する舌片２３に肩カバー２０と内容器１との回り止め、および、肩カバー２０と外装容器本体１０との回り止め機能を担わせたので、内容器１の交換の操作方法が判りやすく、取り扱い易い容器となっている。
【００２７】
上述した実施の形態は、断面形状が円径の容器で説明したが、本発明の化粧料容器は断面形状が楕円形でも多角形でも可能である。従来この種の楕円形や多角形の化粧料容器は、外装容器内に内容器がぴったり嵌挿して内容器の外周面が外装容器の内周面に接触することにより、内容器の回り止めとするとともに内外容器間のがたつきを防止する構造となっている。従って、高い寸法精度が要求され、内外容器の間でがたつきが発生し易すかった。
【００２８】
本発明にあっては、内容器１が肩カバー２０に吊着されるとともに内容器１の肩部周縁４の縦溝５と肩カバー２０に垂設された舌片２３の縦リブ２４とが係合して回り止めとなり、内容器１の外周面が外装容器の内周面に接触することなく外装容器内に固定される構造であるので、化粧料容器を楕円形や多角形にしても内容器ががたつく心配がない。
【００２９】
【発明の効果】
本発明の化粧料容器によれば、下記の効果を奏することができる。
【００３０】
肩カバーと外装容器本体との着脱は肩カバーの舌片を押圧することでワンタッチでできるとともに、内容器は蓋を装着したまま交換できるので、内容器の交換作業が容易となる。
【００３１】
また、内容器の外周面が外装容器の内周面に接触することなく肩カバーに吊着されて外装容器内にがたつきなく固定される構造であるので、内容器は外装容器本体が外部から受ける衝撃にも影響されにくく、且つ内容器の寸法精度は緩和されている。従って、寸法のばらつきの大きいダイレクトブロー成形によるボトルの使用が可能となり、内容器を安価に提供することができる。
【００３２】
更に、本発明の化粧料容器は、断面形状を円形にすることはもとより、内容器ががたつくことなく楕円形にも多角形にもできるので、意匠の自由度が大きい有用な容器である。
【図面の簡単な説明】
【図１】  本発明の化粧料容器の分解斜視図。
【図２】  同化粧料容器の肩カバーを下面から見た斜視図。
【図３】  同化粧料容器の斜視図。
【図４】  同化粧料容器の半断面図。
【図５】  従来の化粧料容器を示す、（ａ）は断面図、（ｂ）はＡーＡ断面図。
【符号の説明】
１  内容器，３  頚部，４  肩部周縁，５  縦溝，１０  外装容器本体，１１  開口部，１２  凹所，２０  肩カバー，２３  舌片，２４  縦リブ，
【図１】
0004281027.tif 000002
【図２】
0004281027.tif 000003
【図３】
0004281027.tif 000004
【図４】
0004281027.tif 000005
【図５】
0004281027.tif 000006